(57)【要約】【課題】金型の冷却に使用される冷却水の排水管理を容易にすることができる、金型冷却システムを提供する。【解決手段】金型冷却システム１において、電気分解装置１３が、金型冷却機構１６において冷却水として利用されるアルカリイオン水、及び、金型冷却機構１６において冷却水として利用された後のアルカリイオン水の中和に利用可能な酸性水の両方を生成する。そして、中和処理器１７が、金型冷却機構１６において冷却水として利用された後に金型冷却機構１６から排出されたアルカリイオン水を、電気分解装置１３において生成された中和に利用可能な酸性水を用いて中和する。【選択図】図１
2018058030.tif 000002
【特許請求の範囲】
【請求項１】
水を電気分解して、アルカリイオン水と酸性水とを生成する、電気分解装置と、
前記電気分解装置で生成されたアルカリイオン水を保持するとともに、前記保持したアルカリイオン水を冷却水として金型へ供給する、アルカリイオン水タンクと、
前記金型において前記冷却水として利用された後に前記金型から排出されるアルカリイオン水を、中和に利用可能な酸性水を用いて中和する、中和処理器と、
前記電気分解装置で生成された酸性水を保持するとともに、前記保持した酸性水を、前記中和に利用可能な酸性水として前記中和処理器へ供給する、酸性水タンクと、
を具備する金型冷却システム。
【発明の詳細な説明】
【技術分野】
【０００１】
本発明は、金型冷却システムに関する。
【背景技術】
【０００２】
従来、鋳造金型及び鍛造金型などの金型は、その内部に水冷孔が設けられ、金型の使用時に該水冷孔に冷却水を通すことによって金型の温度調整が図られている（例えば、特許文献１）。特許文献１に開示の金型冷却技術では、金型使用時の水冷孔における錆発生を抑えるために、アルカリ性にした冷却水が用いられている。
【先行技術文献】
【特許文献】
【０００３】
【特許文献１】特開２００７−２１６２５２号公報
【発明の概要】
【発明が解決しようとする課題】
【０００４】
しかしながら、冷却水がアルカリ性であるため、冷却水の排水管理が難しい。
【０００５】
本発明は、このような問題を解決するためになされたものであり、金型の冷却に使用される冷却水の排水管理を容易にすることができる、金型冷却システムを提供することを目的とする。
【課題を解決するための手段】
【０００６】
本発明の一態様に係る金型冷却システムは、水を電気分解して、アルカリイオン水と酸性水とを生成する、電気分解装置と、前記電気分解装置で生成されたアルカリイオン水を保持するとともに、前記保持したアルカリイオン水を冷却水として金型へ供給する、アルカリイオン水タンクと、前記金型において前記冷却水として利用された後に前記金型から排出されるアルカリイオン水を、中和に利用可能な酸性水を用いて中和する、中和処理器と、前記電気分解装置で生成された酸性水を保持するとともに、前記保持した酸性水を、前記中和に利用可能な酸性水として前記中和処理器へ供給する、酸性水タンクと、を具備する。
【発明の効果】
【０００７】
本発明によれば、金型冷却システムで金型の冷却に使用される冷却水の排水管理を容易にすることができる、金型冷却システムを提供することができる。
【図面の簡単な説明】
【０００８】
【図１】一実施形態の金型冷却システムの構成を示すブロック図である。
【図２】水溶液に浸した鉄板の腐食速度を示す図である。
【発明を実施するための形態】
【０００９】
以下、図面を参照して本発明の一実施形態について説明する。
【００１０】
図１は、一実施形態の金型冷却システムの構成を示すブロック図である。図１において、金型冷却システム１は、水タンク１１と、フィルタ１２と、電気分解装置１３と、アルカリイオン水タンク１４と、酸性水タンク１５と、金型冷却機構１６と、中和処理器１７とを有する。
【００１１】
水タンク１１は、水を保持すると共に、保持している水を水路Ｐ１へ出力することにより水路Ｐ１、フィルタ１２、及び水路Ｐ２を介して電気分解装置１３へ供給する。また、水タンク１１は、中和処理器１７において中和された水を中和処理器１７から水路Ｐ８を介して受け取った保持する。すなわち、水タンク１１に保持されている水は、水タンク１１に着目すると、金型冷却システム１において循環されていることになる。ここで、水タンク１１は、金型冷却システム１の水を取り替える際に用いられる、水の排出口（図示せず）及び水の供給口（図示せず）を有している。
【００１２】
フィルタ１２は、水タンク１１から出力された水から不純物（例えば、塩素や鉛等）を除去して、不純物除去後の水を水路Ｐ２へ出力する。
【００１３】
電気分解装置１３は、水タンク１１から水路Ｐ１、フィルタ１２、及び水路Ｐ２を介して受け取った水を電気分解することにより、アルカリイオン水及び酸性水を生成する。そして、電気分解装置１３は、生成したアルカリイオン水を、水路Ｐ３を介してアルカリイオン水タンク１４へ出力すると共に、生成した酸性水を、水路Ｐ４を介して酸性水タンク１５へ出力する。
【００１４】
アルカリイオン水タンク１４は、電気分解装置１３で生成されたアルカリイオン水を保持するとともに、保持したアルカリイオン水を「冷却水」として、水路Ｐ５を介して金型冷却機構１６へ供給する。このアルカリイオン水は、例えばｐＨ１２．０〜１３．０といった強アルカリ性であってもよい。
【００１５】
酸性水タンク１５は、電気分解装置１３で生成された酸性水を保持するとともに、保持した酸性水を「中和に利用可能な酸性水」として、水路Ｐ７を介して中和処理器１７へ供給する。この酸性水は、例えばｐＨ３．０といった強酸性であってもよい。
【００１６】
金型冷却機構１６は、例えば、上記した金型の水冷孔（図示せず）である。金型冷却機構１６は、アルカリイオン水タンク１４から供給されたアルカリイオン水を金型の冷却水として利用し、冷却水として利用した後のアルカリイオン水を水路Ｐ６に排出することにより中和処理器１７へ出力する。
【００１７】
中和処理器１７は、金型冷却機構１６において冷却水として利用された後に金型冷却機構１６から排出されたアルカリイオン水を、酸性水タンク１５から出力された「中和に利用可能な酸性水」を用いて中和する。そして、中和処理器１７は、中和によって得られた水を、水路Ｐ８を介して水タンク１１へ出力する。
【００１８】
以上のように、金型冷却システム１においては、電気分解装置１３が、金型冷却機構１６において冷却水として利用されるアルカリイオン水、及び、金型冷却機構１６において冷却水として利用された後のアルカリイオン水の中和に利用可能な酸性水の両方を生成する。そして、中和処理器１７が、金型冷却機構１６において冷却水として利用された後に金型冷却機構１６から排出されたアルカリイオン水を、電気分解装置１３において生成された中和に利用可能な酸性水を用いて中和する。
【００１９】
この金型冷却システム１の構成により、冷却水として利用されるアルカリイオン水、及び、冷却水として利用された後のアルカリイオン水の中和に利用可能な酸性水の生成、並びに、冷却水として利用されるアルカリイオン水の中和が、金型冷却システム１内で完結する。これにより、金型冷却システム１の水を取り替える際の排水管理を容易にすることができる。さらに、これにより、冷却水として利用されるアルカリイオン水をより強アルカリ性とすることができる。
【００２０】
図２は、水溶液に浸した鉄板の腐食速度を示す図である。図２を見て分かるように、水溶液がｐＨ４よりも強酸性になると、腐食速度は指数関数的に速くなる。水溶液がｐＨ４〜１０の間では、腐食速度は、０．２５（ｍｍ／ｙｅａｒ）で略一定である。そして、水溶液がｐＨ１０よりも強アルカリ性である場合、アルカリ性が強くなるに従って、腐食速度が小さくなる。ここで、従来、金型使用時の金型冷却機構における錆発生の抑止及び金型冷却システム１の水を取り替える際の排水を考慮して、冷却水として利用されるアルカリイオン水のｐＨは、１０．５〜１１で管理されている。これに対して、金型冷却システム１においては、冷却水として利用されるアルカリイオン水、及び、冷却水として利用された後のアルカリイオン水の中和に利用可能な酸性水の生成、並びに、冷却水として利用されるアルカリイオン水の中和が、金型冷却システム１内で完結するので、アルカリイオン水をより強アルカリ性（例えば、ｐＨ１２．０〜１３．０）とすることができる。
【００２１】
なお、本発明は上記実施の形態に限られたものではなく、趣旨を逸脱しない範囲で適宜変更することが可能である。
【符号の説明】
【００２２】
１  金型冷却システム
１１  水タンク
１２  フィルタ
１３  電気分解装置
１４  アルカリイオン水タンク
１５  酸性水タンク
１６  金型冷却機構
１７  中和処理器
【図１】
2018058030.tif 000003
【図２】
2018058030.tif 000004